(57)【要約】      （修正有）【課題】労力をかけないで開閉可能であり、設備費用をかけないで安価にしかもすべての工作機械に適用できるスライドドア開閉装置を提供する。【解決手段】工作機械１の本体部３の開口部Ｈを覆うためのスライドドア２を開閉する際、軽い力で開閉可能にするため、スライドドアのレール４を所定方向に所定角度傾斜させると共に、スライドドアが自重で滑り落ちようとするのを防ぐ方向に、本体部３とスライドドアとの間に定荷重ばね５を設けて、スライドドアの落下力とばねの復元力を一致させてバランスさせる。【選択図】図１
0003199219.tif 000002
【実用新案登録請求の範囲】
【請求項１】
工作機械の本体部の開口部を覆うためのスライドドアの開閉装置であって、前記スライドドアがスライドするレールを所定方向に向けて所定角度傾斜させ、前記レールの傾斜の高い方向の開口部近傍の本体部と前記スライドドアとの間にスライド方向とほぼ平行に定荷重ばねを配設することを特徴とする工作機械のスライドドア開閉装置。
【請求項２】
前記定荷重ばねの復元力と、前記スライドドアの傾斜方向に対する自重による落下力とを一致させることを特徴とする請求項１に記載のスライドドア開閉装置。
【請求項３】
前記スライドドアの全開位置と全閉位置にそれぞれスライドドアの位置を固定するドア固定手段を設けることを特徴とする請求項１又は請求項２に記載の工作機械のスライドドア開閉装置。
【考案の詳細な説明】
【技術分野】
【０００１】
本考案は、例えばＣＮＣ旋盤、複合加工機、マシニングセンタ、研削盤などの工作機械の開口部を覆うスライドドアの開閉装置に関する。
【背景技術】
【０００２】
従来、例えば複合加工機やマシニングセンタなどの工作機械においては、主軸台にワークをセットした後、主軸台の上方や側方の開口部を覆うためのスライドドアを移動させて開口部を閉鎖することにより、切削油や切り屑などが周囲に飛散するのを防止するようにされており、この際、スライドドアの開閉は手作業で行われるのが一般的であるが、労力を軽減するため、オプション製品として、エアシリンダ等を取り付けて空気圧でスライドさせるような技術が知られている。（例えば、特許文献１、特許文献２参照。）
一方、工作機械として、ワークを搭載したパレットが移動テーブルに載せられて加工が行われるような際に、テーブルに対してパレットの搬入、搬出が自動的に行われるようなパレット自動交換装置を有する場合、テーブルあるいはこれに載置されたパレットの移動を動力としてスライドドアを開閉するような技術も知られている。（例えば、特許文献３参照。）
【先行技術文献】
【特許文献】
【０００３】
【特許文献１】特開２０１１−３６９４７号公報
【特許文献２】実開平６−４２０４４号公報
【特許文献３】特開平１１−５８１７１号公報
【考案の概要】
【考案が解決しようとする課題】
【０００４】
ところが、上記のようにエアシリンダを動力としてスライドドアの開閉を行う場合、設備費用が嵩むとともに、ランニングコストも高価になるという問題があった。また、後者の技術のように、パレットの移動を動力として用いるような場合、パレット自動交換装置を有しない工作機械の場合、適用することができないという問題があった。
【０００５】
そこで本考案は、工作機械のスライドドアを開閉する際、軽い力で開閉可能な装置を設備費用をかけないで安価に、しかもすべての工作機械に適用できるような技術を提供することを目的とする。
【課題を解決するための手段】
【０００６】
上記課題を解決するため、本考案は、工作機械の本体部の開口部を覆うためのスライドドアの開閉装置において、前記スライドドアがスライドするレールを所定方向に向けて所定角度傾斜させ、前記レールの傾斜の高い方向の開口部近傍の本体部と前記スライドドアとの間にスライド方向とほぼ平行に定荷重ばねを配設するようにした。
【０００７】
このように、レールを所定角度傾斜させ、スライドドアが傾斜の下方に向けて自重で滑り落ちるような力を発生させるとともに、このスライドドアを傾斜に沿って上方に向けて定荷重ばねで引っ張り上げるような力を作用させれば、両者の力が釣り合って、軽い力で開閉操作できるようになる。
ここで、定荷重ばねとは、引っ張りストロークに関係なく、常に一定の復元力を発揮するようなばねである。また、レールの傾斜方向は、スライドドアが自重で開放しようとする方向に滑り落ちるように傾斜させてもよく、閉鎖しようとする方向に滑り落ちるように傾斜させてもよい。
【０００８】
この際、前記定荷重ばねの復元力と、前記スライドドアの傾斜方向に対する自重による落下力とを一致させれば、スライドドアが滑り落ちようとする力とばねの復元力がバランスして、傾斜方向に対して力が作用しない状態となり、極めて軽い力で移動させることができるようになる。
【０００９】
また、スライドドアの全開位置および全閉位置にそれぞれスライドドアの位置を固定するドア固定手段を設けることにより、スライドドアの位置を確実に位置決めすることができ、安定する。この際、ドアの全開位置と全閉位置を固定する固定手段の具体的構成は任意であり、一時的に手作業でロック、アンロックを操作するような手段でもよく、自動的にロック、アンロックされるような手段でもよい。
【考案の効果】
【００１０】
スライドドアがスライドするレールを所定方向に所定角度傾斜させ、スライドドアを引っ張り上げる方向に定荷重ばねを配設することにより、スライドドアを移動させるための力が軽減されて楽に動かせるようになる。この際、定荷重ばねの復元力と、スライドドアの傾斜方向に対する自重による落下力とをほぼ一致させれば、極めて軽い力で動かせるようになる。
【図面の簡単な説明】
【００１１】
【図１】本スライドドア開閉装置の一例を示す構成例図である。
【図２】レールの傾斜方向を逆にした場合の説明図である。
【図３】定荷重ばねの説明図で、（ａ）は一対のばねドラムに巻き付けられ且つ一方側のドラムにケーブルドラムが付設されている定荷重ばね、（ｂ）は一つのばねドラムに巻き取られる定荷重ばねである。
【図４】定荷重ばねの特性を示す説明図である。
【考案を実施するための形態】
【００１２】
本考案に係る工作機械のスライドドア開閉装置の実施形態の一例について添付した図面に基づき説明する。
本考案に係る工作機械のスライドドア開閉装置は、工作機械のスライドドアを開閉する際、軽い力で開閉できる装置を、設備費用をかけないで構成するとともに、すべての工作機械に適用可能な技術を提供することを目的とし、スライドドアがスライドするレールを傾斜させ、このスライドドアを、傾斜の上方側に向けて定荷重ばねで引っ張り上げることを特徴としている。
【００１３】
すなわち、図１に示すように、例えばＣＮＣ旋盤等の工作機械１には、加工物としてのワークを装着する箇所が開口部Ｈとして、上方と片側側方の空間部が開放されており、この箇所は、加工時に飛散する切削油や切り屑等の飛散防止のため、上方と片側側方の開口部Ｈを覆うためのスライドドア２が本体部３に対して開閉自在にされている。
【００１４】
そして、このスライドドア２の開閉操作は、通常、作業者が手作業で操作していることは前述の通りであるが、オプション機能として、エアシリンダ等のドア開閉動力源を配設する技術が知られていることについても前記した通りである。
【００１５】
しかしながら、このような動力源を設ければ、設備費用やランニングコストの増加を招くため、本考案は、これらの費用を安価にするとともに、工作機械の種類等に限定されることがないようにされ、スライドドア２がスライドする際、スライドを支えるレール４を所定方向に傾斜させるとともに、レール４の傾斜の高い側の開口部Ｈ近傍の本体部３とスライドドア２との間に、スライド方向とほぼ平行に定荷重ばね５を配設することを特徴としている。
【００１６】
ここで、レール４の傾斜方向は任意であり、図１に示すように、レール４の傾斜が、スライドドア２が開放方向に向けて自重で滑り落ちやすくなるような傾斜でもよく、図２に示すように、その逆の方向の傾斜でもよい。
【００１７】
また、本実施例では、レール４は一本だけ示しているが、本体部３の天井部分にもレールがある場合は、そのレールも傾斜させるようにしてもよい。
【００１８】
また、定荷重ばね５は、図３（ａ）に示すように、ばね本体を一対のばねドラムで巻き取り、一方側のばねドラムと一体に回転するケーブルドラムからケーブルを引き出して、このケーブルの先端と、基台とをそれぞれスライドドア２と本体部３に結合するような構造のばねでも良く、図３（ｂ）に示すように、ばねドラムから引き出されるばねの先端と、ばねドラムとをそれぞれスライドドア２と本体部３に結合するような構造のばねでもよい。この際、図３（ａ）の場合は、外部にばねが露出せず、ケーブルだけが露出するため、見た目を綺麗に纏めることができる。
【００１９】
なお、図１では、スライドドア２と本体部３との間に一本の定荷重ばね５を配設しているが、必要に応じて複数本の定荷重ばね５を配設するようにしてもよい。
【００２０】
ところで、図４は、定荷重ばねの特性を示すものであるが、一点鎖線のコイルスプリングの特性や、破線のゼンマイばねの特性に較べて、張り出しストロークが変化しても、復元力が一定の値を示す特性を有しており、ばねの引出し力やその復元力は、各種値のものが市販されている。
【００２１】
ところで、スライドドア２の全開位置と、全閉位置には、それぞれスライドドア２の位置を固定するためのドア固定具６ａ、６ｂが設けられている。この際、本実施例では、これらドア固定具６ａ、６ｂとして、本体部３側に設けた係止リングとスライドドア２側に設けた係止ピンによって構成し、手動の操作によって、係止ピンに係止リングを引っ掛けることによりロック、ロック解除を行うようにしているが、自動でロックや解除が行われるような構造のものを採用してもよい。
【００２２】
ここで、工作機械として、本装置をＣＮＣ旋盤に適用し、レール４の傾斜角度を２度とし、定荷重ばねの復元力を４Ｎとした場合、滑り落ちようとする力とばね力が釣り合い、極めて軽い力でスライドドア２を開閉操作することができた。また、レール４を水平にした場合、スライドドア２を開閉する力は５Ｎを必要としたが、レール４の傾斜角度を２度とし、４Ｎの定荷重ばねを使用した場合、スライドドア２を開閉する力は３Ｎであった。このことから本考案の有効性が確認できた。
【００２３】
なお、本考案は以上のような実施形態に限定されるものではない。本考案の実用新案登録請求の範囲に記載した事項と実質的に同一の構成を有し、同一の作用効果を奏するものは本考案の技術的範囲に属する。例えば、図３に示す定荷重ばね５の取り付け位置は、本体部３側であってもよく、スライドドア２側であってもよい。
【産業上の利用可能性】
【００２４】
工作機械の開口部を覆うためのスライドドアを開閉するにあたり、軽い力で開閉可能な構造を、簡素な構成で安価に、しかも工作機械の種類を問わず適用できるため、今後の広い普及が期待される。
【符号の説明】
【００２５】
１…工作機械、２…スライドドア、３…本体部、４…レール、５…定荷重ばね、６ａ、６ｂ…ドア固定具、Ｈ…開口部。
【図１】
0003199219.tif 000003
【図２】
0003199219.tif 000004
【図３】
0003199219.tif 000005
【図４】
0003199219.tif 000006